(57)【要約】    【課題】      送信映像の送信を開始するに当たり送信映像を事前に確認して、受信側ユーザに見られたくない映像を誤って送信することを防止できるようにすること。    【解決手段】  通話相手からのテレビ電話信号の着信を検出して信号を出力するＴＶ電話着信検出手段１０１と、ＴＶ電話着信検出手段１０１からの出力信号に基づいて被写体の撮像が開始される撮像手段１０２と、撮像手段１０２により撮像された被写体の映像を表示する表示手段１０３と、表示手段１０３により表示された映像の送信開始を指示するための送信開始指示信号を出力する送信開始指示手段１０４と、送信開始指示手段１０４から出力される送信開始指示信号を受けて通話相手とのテレビ電話通信の開始を制御するＴＶ電話開始制御手段１０５と、を具備する。  【選択図】      図１
2006005570.tif 000002
【特許請求の範囲】
【請求項１】
通話相手からのテレビ電話信号の着信を検出して信号を出力するＴＶ電話着信検出手段と、
前記ＴＶ電話着信検出手段からの出力信号に基づいて被写体の撮像が開始される撮像手段と、
前記撮像手段により撮像された前記被写体の映像を表示する表示手段と、
前記表示手段により表示された映像の送信開始を指示するための送信開始指示信号を出力する送信開始指示手段と、
前記送信開始指示手段から出力される前記送信開始指示信号を受けて前記通話相手とのテレビ電話通信の開始を制御するＴＶ電話開始制御手段と、を具備することを特徴とするテレビ電話機能付き端末装置。
【請求項２】
前記送信開始指示手段は、前記ＴＶ電話着信手段からの出力信号を受けて時間のカウントを開始し、あらかじめ設定された設定時間を超えた時点で、前記ＴＶ電話開始制御手段に前記送信開始指示信号を出力するタイマ部からなることを特徴とする請求項１記載のテレビ電話機能付き端末装置。
【請求項３】
前記送信開始指示手段は、ユーザの操作により前記ＴＶ電話開始制御手段に前記送信開始指示信号を出力する操作部からなることを特徴とする請求項１記載のテレビ電話機能付き端末装置。
【請求項４】
通話相手からのテレビ電話信号の着信を検出して信号を出力するＴＶ電話着信検出手段と、
被写体を撮像する撮像手段と、
前記撮像手段により撮像された前記被写体の映像を表示する表示手段と、
ユーザの操作により、前記表示手段により表示された映像の送信開始を指示するための送信開始指示信号を出力し、かつ前記撮像手段を起動する起動信号を出力する操作部と、
前記操作部から出力される前記送信開始指示信号を受けて前記通話相手とのテレビ電話通信の開始を制御するＴＶ電話開始制御手段と、を具備することを特徴とするテレビ電話機能付き端末装置。
【請求項５】
前記操作部から出力される前記送信開始指示信号の、前記ＴＶ電話開始制御手段への入力タイミングをあらかじめ設定した設定時間だけ遅延させるタイマ部を付加したことを特徴とする請求項４記載のテレビ電話機能付き端末装置。
【請求項６】
通話相手からのテレビ電話信号の着信を検出して信号を出力するＴＶ電話着信検出手段と、
被写体を撮像する撮像手段と、
前記撮像手段により撮像された前記被写体の映像を表示する表示手段と、
ユーザの操作により、前記通話相手との通話モードを選択する通話モード選択信号を出力する操作部と、
前記操作部から出力される前記通話モード選択信号を受けて前記通話相手との通話モードを、少なくともテレビ電話モードと音声電話モードとのいずれかを選択する通話制御部と、
前記通話制御部により前記テレビ電話モードが選択されることにより前記通話相手とのテレビ電話通信の開始を制御するＴＶ電話開始制御手段と、を具備することを特徴とするテレビ電話機能付き端末装置。
【発明の詳細な説明】
【技術分野】
【０００１】
本発明は、テレビ電話機能付き端末装置に関し、詳しくは、テレビ電話の通話相手である受信側ユーザの端末装置の表示部に映し出される送信側ユーザの送信映像を、送信側ユーザが送信する前に確認することができるカメラ付き携帯電話機などのテレビ電話機能付き端末装置に関する。
【背景技術】
【０００２】
従来、この種のテレビ電話機能付き端末装置として、送信側ユーザが通話相手である受信側ユーザと同じ映像をモニタできるようにして、受信側ユーザが受信している受信映像と、送信側ユーザが送信している送信映像と、を同じ条件にできるようにしたものが知られている（例えば、特許文献１参照）。
【０００３】
また、同様のテレビ電話機能付き端末装置として、受信側ユーザが受信している受信映像と、送信側ユーザが送信している送信映像と、を１つの表示部に併せて表示して、受信映像と送信映像とを同時に確認できるようにしたものが知られている（例えば、特許文献２参照）。
【０００４】
さらに、この種のテレビ電話機能付き端末装置として、二つの表示部を設け、一方の表示部に受信側ユーザが受信している受信映像を表示し、他方の表示部に送信側ユーザが送信している送信映像を表示して、受信映像と送信映像とを同時に確認できるようにしたものが知られている（例えば、特許文献３参照）。
【特許文献１】特開平６−９０４４７号公報
【特許文献２】特開平１０−６５７８０号公報
【特許文献３】特開２００３−２４４３０１号公報
【発明の開示】
【発明が解決しようとする課題】
【０００５】
しかしながら、前記従来のテレビ電話機能付き端末装置においては、送信側ユーザは、通話相手である受信側ユーザに送信している送信映像を、通話中に確認することはできるが、受信側ユーザと通話を開始する前には確認することができなかった。
【０００６】
このため、従来のテレビ電話機能付き端末装置では、送信映像の映りが悪かったり、フレーム内に映したくない映像が映っていたりするなど送信映像に問題がある場合でも、通話相手である受信側ユーザに送信映像を送信してモニタできる状態になるまでの間は、この送信映像を送信側ユーザが確認することができなかった。
【０００７】
こうしたことから、従来のテレビ電話機能付き端末装置においては、通話相手である受信側ユーザから着信があった場合、例えば、身だしなみが整っていなかったり、カメラが受信側ユーザに見られたくない映像をとらえていたりしても、この送信映像を送信側ユーザが確認できるようになったときには、既にこの送信映像が受信側ユーザの端末装置の表示部に映し出されてしまっているという問題があった。
【０００８】
本発明は、かかる点に鑑みてなされたもので、送信映像の送信を開始するに当たり送信映像を事前に確認して、受信側ユーザに見られたくない映像を誤って送信することを防止することができるテレビ電話機能付き端末装置を提供することを目的とする。
【課題を解決するための手段】
【０００９】
かかる課題を解決するため、本発明のテレビ電話機能付き端末装置は、通話相手からのテレビ電話信号の着信を検出して信号を出力するＴＶ電話着信検出手段と、前記ＴＶ電話着信検出手段からの出力信号に基づいて被写体の撮像が開始される撮像手段と、前記撮像手段により撮像された前記被写体の映像を表示する表示手段と、前記表示手段により表示された映像の送信開始を指示するための送信開始指示信号を出力する送信開始指示手段と、前記送信開始指示手段から出力される前記送信開始指示信号を受けて前記通話相手とのテレビ電話通信の開始を制御するＴＶ電話開始制御手段と、を具備する構成を採る。
【００１０】
この構成によれば、前記ＴＶ電話開始制御手段は、前記送信開始指示手段から出力される前記送信開始指示信号を受けてから前記通話相手とのテレビ電話通信の開始を制御するので、前記送信開始指示信号が出力されるまでは前記表示手段により表示された映像の送信を開始することがない。従って、この構成においては、送信映像の送信を開始するに当たって、送信側ユーザが受信側ユーザに送信される送信映像を事前に確認することができる。これにより、送信側ユーザは、前記撮像手段が受信側ユーザに見られたくない映像をとらえていないかどうかを確認した上で、前記撮像手段により撮像された前記被写体の映像（送信映像）を受信側ユーザに送信することができるようになる。
【発明の効果】
【００１１】
本発明によれば、送信側ユーザは、送信映像の送信を開始するに当たって、受信側ユーザに送信される送信映像を事前に確認することができるので、受信側ユーザに見られたくない映像を誤って送信することを防止することができる。
【発明を実施するための最良の形態】
【００１２】
以下、本発明の実施の形態に係るテレビ電話機能付き端末装置について、図面を参照して詳細に説明する。なお、各図において同一の構成または機能を有する構成要素及び相当部分には、同一の符号を付してその説明は繰り返さない。
【００１３】
（実施の形態１）
まず、図１を参照して、本発明の実施の形態１に係るテレビ電話機能付き端末装置について説明する。図１は、本発明の実施の形態１に係るテレビ電話機能付き端末装置の構成を示すブロック図である。
【００１４】
図１に示すように、本実施の形態１に係るテレビ電話機能付き端末装置１００は、ＴＶ電話着信検出手段１０１、撮像手段１０２、表示手段１０３、送信開始指示手段１０４、ＴＶ電話開始制御手段１０５を具備している。
【００１５】
図１において、ＴＶ電話着信検出手段１０１は、通話相手である受信側ユーザからのテレビ電話信号の着信を検出して信号を出力する。撮像手段１０２は、ＴＶ電話着信検出手段１０１からの出力信号に基づいてカメラ（ビデオカメラ）により送信側ユーザが送信しようとする被写体の撮像を開始する機能を有している。表示手段１０３は、撮像手段１０２のカメラにより撮像された被写体の映像を液晶ディスプレイなどの表示画面に表示する機能を有している。
【００１６】
一方、送信開始指示手段１０４は、表示手段１０３により表示された映像の送信開始を指示するための送信開始指示信号を出力する。ＴＶ電話開始制御手段１０５は、送信開始指示手段１０４から出力される送信開始指示信号を受けて、通話相手とのテレビ電話通信の開始を制御する機能を有している。
【００１７】
上述のように、本実施の形態１に係るＴＶ電話機能付き端末装置１００では、ＴＶ電話開始制御手段１０５が送信開始指示手段１０４から出力される送信開始指示信号を受けてから通話相手とのテレビ電話通信の開始を制御する。すなわち、このＴＶ電話機能付き端末装置１００においては、送信開始指示手段１０４から送信開始指示信号が出力されるまでは表示手段１０３により表示された映像、つまり撮像手段１０２が撮像している送信映像の送信を開始することがない。
【００１８】
従って、本実施の形態１に係るＴＶ電話機能付き端末装置１００においては、前記送信映像の送信を開始するに当たって、送信側ユーザが受信側ユーザに送信される送信映像を事前に確認することができる。
【００１９】
これにより、送信側ユーザは、撮像手段１０２が受信側ユーザに見られたくない映像を撮像している場合には、この見られたくない映像が撮像手段１０２の撮像範囲から外れるように操作することができる。従って、本実施の形態１に係るＴＶ電話機能付き端末装置１００においては、送信側ユーザは送信映像が受信側ユーザに見られてもよい映像であることを確認した上で、この送信映像を受信側ユーザに安心して送信することができるようになる。
【００２０】
（実施の形態２）
次に、図２を参照して、本発明の実施の形態２に係るテレビ電話機能付き端末装置について説明する。図２は、本発明の実施の形態２に係るテレビ電話機能付き端末装置の構成を示すブロック図である。
【００２１】
図２に示すように、本実施の形態２に係るテレビ電話機能付き端末装置２００は、ＴＶ電話着信検出手段としてのＴＶ電話着信検出部２０１、撮像手段としてのカメラ部２０２、表示手段としての表示部２０３、送信開始指示手段としてのタイマ部２０４、ＴＶ電話開始制御手段としてのＴＶ電話開始制御部２０５を具備している。
【００２２】
図２において、ＴＶ電話着信検出部２０１は、通話相手である受信側ユーザからのテレビ電話信号の着信を検出すると、カメラ部２０２、表示部２０３およびタイマ部２０４にそれぞれ信号を出力する。
【００２３】
カメラ部２０２は、ＴＶ電話着信検出部２０１からの出力信号が入力されると、カメラ（不図示）を起動する。これにより、前記カメラは、送信側ユーザが受信側ユーザに送信しようとする被写体の撮像を開始する。
【００２４】
表示部２０３は、ＴＶ電話着信検出部２０１からの出力信号が入力されると、液晶ディスプレイなどの表示画面に、通話相手である受信側ユーザからのテレビ電話信号の着信がある旨を表示し、カメラ部２０２のカメラにより撮像された被写体の映像を表示する。
【００２５】
タイマ部２０４は、ＴＶ電話着信検出部２０１からの出力信号が入力されると、入力されてからの経過時間のカウントを開始し、あらかじめ設定された設定時間を超えた時点で、ＴＶ電話開始制御部２０５に送信開始指示信号を出力する。
【００２６】
ＴＶ電話開始制御部２０５は、タイマ部２０４からの送信開始指示信号により、送信側ユーザと受信側ユーザとのテレビ電話による送受信を開始するように図示しない送受信部を制御する。
【００２７】
上述のように、本実施の形態２に係るＴＶ電話機能付き端末装置２００においては、通話相手である受信側ユーザからのテレビ電話信号の着信時に自動的に応答することができるので、送信側ユーザの操作を簡易化することができる。
【００２８】
また、本実施の形態２に係るＴＶ電話機能付き端末装置２００においては、カメラ部２０２のカメラが起動してから、タイマ部２０４から送信開始指示信号が出力されてＴＶ電話による送受信が開始されるまでの一定時間は、カメラ部２０４のカメラが撮像している送信映像は送信されない。
【００２９】
従って、本実施の形態２に係るＴＶ電話機能付き端末装置２００においては、受信側ユーザに送信される送信映像を、送信側ユーザが事前に確認した上で送信することができる。
【００３０】
（実施の形態３）
次に、図３を参照して、本発明の実施の形態３に係るテレビ電話機能付き端末装置について説明する。図３は、本発明の実施の形態３に係るテレビ電話機能付き端末装置の構成を示すブロック図である。
【００３１】
図３に示すように、本実施の形態３に係るテレビ電話機能付き端末装置３００は、図２に示した実施の形態２に係るテレビ電話機能付き端末装置２００におけるタイマ部２０４を、操作部３０１に置き換えた構成を有している。
【００３２】
図３において、ＴＶ電話着信検出部２０１は、通話相手である受信側ユーザからのテレビ電話信号の着信を検出すると、カメラ部２０２および表示部２０３にそれぞれ信号を出力する。
【００３３】
カメラ部２０２は、ＴＶ電話着信検出部２０１からの出力信号が入力されると、カメラ（不図示）を起動し、送信側ユーザが受信側ユーザに送信しようとする被写体の撮像を開始する。
【００３４】
表示部２０３は、ＴＶ電話着信検出部２０１からの出力信号が入力されると、液晶ディスプレイなどの表示画面に、通話相手である受信側ユーザからのテレビ電話信号の着信がある旨を表示し、カメラ部２０２のカメラにより撮像された被写体の映像を表示した後、「ＴＶ電話を開始しますか？」とのメッセージを表示する。このメッセージは、図示しない記憶媒体（メモリ）にあらかじめ記憶されており、受信側ユーザからのテレビ電話信号の着信を受けることによりメモリから読み出される。
【００３５】
操作部３０１は、テレビ電話信号の着信を受けて表示部２０３に表示された「ＴＶ電話を開始しますか？」とのメッセージに対して、送信側ユーザがＴＶ電話を開始する”Ｙｅｓ”の入力操作を行った場合に、ＴＶ電話開始制御部２０５に送信開始指示信号を出力する。
【００３６】
ＴＶ電話開始制御部２０５は、操作部３０１からの送信開始指示信号により、送信側ユーザと受信側ユーザとのテレビ電話による送受信を開始するように図示しない送受信部を制御する。
【００３７】
上述のように、本実施の形態３に係るＴＶ電話機能付き端末装置３００においては、カメラ部２０２のカメラが起動してから、ＴＶ電話開始制御部２０５に操作部３０１からの送信開始指示信号の入力があるまでは、カメラ部２０２のカメラが撮像している送信映像は送信されない。
【００３８】
従って、本実施の形態３に係るＴＶ電話機能付き端末装置３００においては、受信側ユーザに送信される送信映像を、送信側ユーザが事前に確認した上で送信することができる。特に、本実施の形態３に係るＴＶ電話機能付き端末装置３００においては、送信側ユーザが操作部３０１を操作してテレビ電話による送受信を開始させることができるので、テレビ電話信号を着信した時の状況に応じて、送信側ユーザが時間を気にすることなくカメラテストを行うことができる。
【００３９】
（実施の形態４）
次に、図４を参照して、本発明の実施の形態４に係るテレビ電話機能付き端末装置について説明する。図４は、本発明の実施の形態４に係るテレビ電話機能付き端末装置の構成を示すブロック図である。
【００４０】
図４に示すように、本実施の形態４に係るテレビ電話機能付き端末装置４００は、図３に示した実施の形態３に係るテレビ電話機能付き端末装置３００におけるカメラ部２０２を、操作部３０１からの出力信号により起動するように構成されている。
【００４１】
図４において、ＴＶ電話着信検出部２０１は、通話相手である受信側ユーザからのテレビ電話信号の着信を検出すると、表示部２０３に信号を出力する。
【００４２】
表示部２０３は、ＴＶ電話着信検出部２０１からの出力信号が入力されると、先ず、「カメラを起動しますか？」とのメッセージを表示する。次いで、この「カメラを起動しますか？」とのメッセージに対して、送信側ユーザが操作部３０１を操作してカメラ部２０２のカメラを起動させると、表示部２０３は、カメラにより撮像された被写体の映像を表示し、「ＴＶ電話を開始しますか？」とのメッセージを表示する。
【００４３】
操作部３０１は、テレビ電話信号の着信を受けて表示部２０３に表示された「カメラを起動しますか？」とのメッセージを受けて送信側ユーザが操作部３０１を操作することにより、カメラ起動信号を出力することができる。また、操作部３０１は、表示部２０３に表示された「ＴＶ電話を開始しますか？」とのメッセージに対して、送信側ユーザがＴＶ電話を開始する”Ｙｅｓ”の入力操作を行った場合に、ＴＶ電話開始制御部２０５に送信開始指示信号を出力する。
【００４４】
カメラ部２０２は、操作部３０１からのカメラ起動信号を受けてカメラを起動し、送信側ユーザが受信側ユーザに送信しようとする被写体の撮像を開始する。
【００４５】
ＴＶ電話開始制御部２０５は、操作部３０１からの送信開始指示信号により、送信側ユーザと受信側ユーザとのテレビ電話による送受信を開始するように図示しない送受信部を制御する。
【００４６】
上述のように、本実施の形態４に係るＴＶ電話機能付き端末装置４００においては、通話相手である受信側ユーザからのテレビ電話信号の着信時に、送信側ユーザがカメラ部２０２のカメラを起動させるか否か選択できる。従って、このＴＶ電話機能付き端末装置４００においては、ＴＶ電話に出ることができない状況であるにもかかわらずカメラが勝手に起動されてしまうのを防止することができる。
【００４７】
また、本実施の形態４に係るＴＶ電話機能付き端末装置４００においては、実施の形態３に係るＴＶ電話機能付き端末装置３００と同様、送信側ユーザが操作部３０１を操作してテレビ電話による送受信を開始させるので、状況に応じて、送信側ユーザが時間を気にすることなくカメラテストを行うことができる。
【００４８】
（実施の形態５）
次に、図５を参照して、本発明の実施の形態５に係るテレビ電話機能付き端末装置について説明する。図５は、本発明の実施の形態５に係るテレビ電話機能付き端末装置の構成を示すブロック図である。
【００４９】
図５に示すように、本実施の形態５に係るテレビ電話機能付き端末装置５００は、図４に示した実施の形態４に係るテレビ電話機能付き端末装置４００に、タイマ部２０４を付加した構成を有している。本例におけるタイマ部２０４は、操作部３０１から出力される送信開始指示信号の、ＴＶ電話開始制御部２０５への入力タイミングをあらかじめ設定した設定時間だけ遅延させる機能を有している。
【００５０】
図５において、ＴＶ電話着信検出部２０１は、通話相手である受信側ユーザからのテレビ電話信号の着信を検出すると、表示部２０３に信号を出力する。
【００５１】
表示部２０３は、ＴＶ電話着信検出部２０１からの出力信号が入力されると、「カメラを起動しますか？」とのメッセージを表示する。
【００５２】
操作部３０１は、テレビ電話信号の着信を受けて表示部２０３に表示された「カメラを起動しますか？」とのメッセージに対して、送信側ユーザが操作部３０１を操作して”Ｙｅｓ”の入力を行うと、カメラ部２０２にカメラ起動信号を出力し、タイマ部２０４にカウント開始信号を出力する。
【００５３】
カメラ部２０２は、操作部３０１からのカメラ起動信号を受けてカメラを起動し、送信側ユーザが受信側ユーザに送信しようとする被写体の撮像を開始する。
【００５４】
タイマ部２０４は、操作部３０１からカウント開始信号が入力されると、入力されてからの経過時間のカウントを開始し、あらかじめ設定された設定時間を超えた時点で、ＴＶ電話開始制御部２０５に送信開始指示信号を出力する。
【００５５】
ＴＶ電話開始制御部２０５は、タイマ部２０４からの送信開始指示信号により、送信側ユーザと受信側ユーザとのテレビ電話による送受信を開始するように図示しない送受信部を制御する。
【００５６】
上述のように、本実施の形態５に係るＴＶ電話機能付き端末装置５００においては、受信側ユーザからのテレビ電話信号の着信時に、送信側ユーザがカメラ部２０２のカメラを起動させるか否か選択できるので、ＴＶ電話に出ることができない状況でカメラが起動されるのを防止することができる。
【００５７】
また、本実施の形態５に係るＴＶ電話機能付き端末装置５００においては、送信側ユーザによる操作部３０１の操作によってタイマ部２０４のカウントが開始されるので、テレビ電話による送受信を開始するまでの時間が解かり易く、カメラテストを慌てることなく行うことができる。
【００５８】
（実施の形態６）
次に、図６を参照して、本発明の実施の形態６に係るテレビ電話機能付き端末装置について説明する。図６は、本発明の実施の形態６に係るテレビ電話機能付き端末装置の構成を示すブロック図である。
【００５９】
図６に示すように、本実施の形態６に係るテレビ電話機能付き端末装置６００は、図４に示した実施の形態４に係るテレビ電話機能付き端末装置４００の構成に加えて、マイク部６０１、メモリ部６０２および通話制御部６０３を具備している。なお、通話制御部６０３は、実施の形態４に係るテレビ電話機能付き端末装置４００におけるＴＶ電話開始制御部２０５の機能を内蔵している。
【００６０】
また、本実施の形態６に係るテレビ電話機能付き端末装置６００は、（１）ＴＶ電話モード、（２）音声電話モード、（３）データ／音声通話モード、の３つの通話モードのうちの１つの通話モードをユーザが任意に選択できるように構成されている。ここで、ＴＶ電話モードとは、送信側ユーザと受信側ユーザとが、テレビ電話により送受信する通話モードをいう。音声電話モードとは、送信側ユーザと受信側ユーザとが、音声のみにより送受信する通話モードをいう。データ／音声通話モードとは、送信側ユーザと受信側ユーザとが、音声とメモリ部６０２にあらかじめ蓄積されているデータとにより送受信する通話モードをいう。
【００６１】
図６において、ＴＶ電話着信検出部２０１は、通話相手である受信側ユーザからのテレビ電話信号の着信を検出すると、表示部２０３に信号を出力する。
【００６２】
表示部２０３は、ＴＶ電話着信検出部２０１からの出力信号が入力されると、「通話モードを選択してください」とのメッセージを表示する。このメッセージは、図示しないメモリにあらかじめ記憶されている。送信側ユーザは、このメッセージに従い操作部３０１を操作して、前記３つの通話モードのうちの１つの通話モードを選択する。
【００６３】
ここで、送信側ユーザが、（１）ＴＶ電話モードを選択すると、操作部３０１からマイク部６０１とカメラ部２０２とに信号が出力される。また、送信側ユーザが、（２）音声電話モードを選択すると、操作部３０１からマイク部６０１に信号が出力される。さらに、送信側ユーザが、（３）データ／音声通話モードを選択すると、操作部３０１からマイク部６０１とメモリ部６０２とに信号が出力される。
【００６４】
通話制御部６０３は、送信側ユーザの操作部３０１の操作により選択された通話モードにより受信側ユーザとの通話を開始するように図示しない送受信部を制御する。
【００６５】
上述のように、本実施の形態６に係るＴＶ電話機能付き端末装置６００においては、送信側ユーザが操作部３０１の操作により前記３つの通話モードのうちの１つの通話モードを選択することができるので、例えば、表示部２０３に表示された映像のカメラ映りを確認している間は、音声通話モードまたはデータ／音声通話モードを選択して受信側ユーザとの送受信ができるので、着信時に通話相手を待たせることなく、かつカメラ映像を見られることなく応答できる。
【産業上の利用可能性】
【００６６】
本発明に係るテレビ電話機能付き端末装置は、送信映像の送信を開始するに当たって、受信側ユーザに送信される送信映像を事前に確認することができ、受信側ユーザに見られたくない映像を誤って送信することを防止することができるので、テレビ電話機能付きの携帯電話機として有用である。
【図面の簡単な説明】
【００６７】
【図１】本発明の実施の形態１に係るテレビ電話機能付き端末装置の構成を示すブロック図
【図２】本発明の実施の形態２に係るテレビ電話機能付き端末装置の構成を示すブロック図
【図３】本発明の実施の形態３に係るテレビ電話機能付き端末装置の構成を示すブロック図
【図４】本発明の実施の形態４に係るテレビ電話機能付き端末装置の構成を示すブロック図
【図５】本発明の実施の形態５に係るテレビ電話機能付き端末装置の構成を示すブロック図
【図６】本発明の実施の形態６に係るテレビ電話機能付き端末装置の構成を示すブロック図
【符号の説明】
【００６８】
１００，２００，３００，４００，５００，６００  ＴＶ電話機能付き端末装置
１０１  ＴＶ電話着信検出手段
１０２  撮像手段
１０３  表示手段
１０４  送信開始指示手段
１０５  ＴＶ電話開始制御手段
２０１  ＴＶ電話着信検出部
２０２  カメラ部
２０３  表示部
２０４  タイマ部
２０５  ＴＶ電話開始制御部
３０１  操作部
６０１  マイク部
６０２  メモリ部
６０３  通話制御部
【図１】
2006005570.tif 000003
【図２】
2006005570.tif 000004
【図３】
2006005570.tif 000005
【図４】
2006005570.tif 000006
【図５】
2006005570.tif 000007
【図６】
2006005570.tif 000008